(57)【要約】【課題】  従来のマーカー及びマーカー取付具からなるゴルフ器具は帽子に付けるもので帽子が汚れやすく、また、ゴルフ以外には仕様できず用途の狭いものであった。【解決手段】  マーカーを装着するマーカー取付具を腕に装着できる構造にし、マーカー及びマーカー取付具の用途を多様にしたことを特徴とするゴルフ器具である。【選択図】図２
2016067862.tif 000002
【特許請求の範囲】
【請求項１】
マーカー取付具を腕に装着することを特徴とするゴルフ器具。
【請求項２】
マーカーを装着する装着部を着脱できるようにしたことを特徴とする請求項１のゴルフ器具。
【請求項３】
ゴルフ器具に発光部を設けたことを特徴とする請求項１、請求項２のゴルフ器具。
【請求項４】
ゴルフ器具に表示部を設けたことを特徴とする請求項１から請求項３のゴルフ器具。
【請求項５】
ゴルフ器具にセンサーを取付けたことを特徴とする請求項１から請求項４のゴルフ器具。
【請求項６】
マーカー取付具に磁石等を取付けたことを特徴とする請求項１から請求項５のゴルフ器具。
【請求項７】
装着部に磁力以外のマーカーの外れ防止を設けたことを特徴とする請求項１から請求項６のゴルフ器具。
【請求項８】
センサーが受信した情報をマイクロコンピュータで演算、解析し、該解析結果を表示部に表示することを特徴とする請求項１から請求項７のゴルフ器具。
【発明の詳細な説明】
【技術分野】
【０００１】  本発明は多目的に使用できる携帯ゴルフ器具に関する。
【背景技術】
【０００２】  従来、ゴルフにおけるマーカーは、帽子のつばに金属製のクリップを装着し、磁石を取付けたマーカーをクリップに装着し使用していた。
【発明の開示】
【発明が解決しようとする課題】
【０００３】  そのために次のような課題があった。
従来のマーカー及びマーカー取付具からなるゴルフ器具は帽子に装着するため、ゴルフプレー中にマーカーを紛失しても使用時まで分からなかった。また、マーカーを取る時に帽子のつばを手でさわることで、防止のつばが汚れやすかった。【０００４】  また、従来のゴルフ器具は、ゴルフ時にだけ使用するもので、他の用途に使用できるものではなく、用途が限定されていた。
【課題を解決するための手段】
【０００５】  マーカーを装着するマーカー取付具を、腕に装着できる構造にしたことを特徴とするゴルフ器具である。
【発明の効果】
【０００６】  腕に装着したマーカー取付具であるため、マーカーを手元で常時確認でき紛失することがない。また、取扱い面から帽子のつばが汚れない。【０００７】  マーカー取付具を腕に装着できることで、マーカーを活用することでゲームをスピードアップでき、また、スコアアップも図れるようになった。【０００８】  マーカー取付具を着脱できることで、ゴルフ以外に多目的な活用ができるようになった。【０００９】  マーカー取付具に磁石を取付けることで磁気による血流改善効果が生じた。
【発明を実施するための最良の形態】
【００１０】  以下、本発明のゴルフ器具（Ａ）の実施例について、図面に基づいて説明する。
（イ）図１、図２、図３に示すように、ゴルフ器具（Ａ）はマーカー取付具（１）とマーカー（２）からなる。マーカー取付具（１）はマーカー（２）を装着する装着部（３）と腕に付ける取付部（４）で形成する。本実施例では装着部（３）と取付部（４）を一体に形成する。取付部（４）はゴム等の弾性のあるバンド（４ａ）からなり、腕に装着できるようにバンド（４ａ）の内寸を腕の大きさより小さくなるように長さを決める。ゴルフ器具（Ａ）を腕に装着する場合はバンド（４ａ）を広げて腕に装着し、バンド（４ａ）が弾性で縮み腕に密着して固定される。バンド（４ａ）は腕に容易に着脱でき、腕に取付けた時に密着すればよいので、バンド（４ａ）は腕に装着する公知のバンド及びそれに適合したバンド取付構造を選択すればよい。
（ロ）図１、図２、図３に示すように、マーカー（２）を装着する装着部（３）は立上げ部（３ａ）で形成する凹部（３ｂ）からなる。装着部（３）の凹部（３ｂ）の底面に磁石の付く金属板（５）を取付ける。但し、装着部（３）が磁石の付く金属で形成された時は必要がない。装着部（３）を上に広くなるように立上げ部（３ａ）を形成すればマーカー（２）の挿入が容易になる。
（ハ）図１、図２に示すように、凹部（３ｂ）はマーカー（２）が容易に装着できる大きさに形成する。立上げ部（３ａ）の高さは特に制限はない。マーカー（２）を指で取りやすくするために、立上げ部（３ａ）にはマーカー（２）を指で取りやすいように、隙間部（３ｃ）を設ける。隙間部（３ｃ）は１か所でも複数個所でもよい。また、マーカー（２）を取ることができれば、隙間部（３ｃ）の幅は特に問題ない。マーカー（２）や装着部（３）の構造によっては、隙間部（３ｃ）を設けなくてもよい。例えば、マーカー（２）の外径より凹部（３ｂ）内径が大きくマーカー（２）を指でつまめる場合、マーカー（２）の高さより立上げ部（３ａ）の高さが低い場合等である。また隙間部（３ｃ）の深さもマーカー（２）が取り易ければ特に制限はない。
（ニ）本実施例では、装着部（３）と取付部（４）は同一の材質で形成している。バンド（４ａ）は弾性のある材質であれば特に制限はない。例えばゴムで形成してもよいし、一部あるいは複数部を弾性のある構造としても差し支えない。装着部（３）は、バンド（４ａ）のような弾性は特に必要はない。また、バンド（４ａ）は弾性の無いものでもよい。
（ホ）図４，図５に示すように、マーカー（２）は磁石（６）を埋め込んで形成する。マーカー（２）は磁石（６）を張り付けても良いし、磁粉を練り込んだもので形成しても、あるいは磁石そのものでもよい。マーカー（２）は図２、図３に示すように、磁石（６）により装着部（３）の凹部（３ｂ）に取付けた金属板（５）にくっつき、マーカーの取付具（１）に装着されてゴルフ器具（Ａ）として使用できる。【００１１】  本発明のゴルフ器具（Ａ）は以上のように形成され、腕に装着できることで、マーカー（２）が常に手元にあるので紛失することがない。また、帽子のつばに装着するものではないので、帽子のつばが汚れたり痛んだりしない。【００１２】  本発明のゴルフ器具（Ａ）は、腕に装着した時に、バンド（４ａ）の弾性力により腕に密着し、ゴルフスイング中も動かないので違和感なくスイングできる。バンド（４ａ）はゴルフスイングに影響がなければ公知のバンドでもよい。勿論、弾性のないものでも差し支えない。例えば、時計用の種々のバンド、樹脂バンド、マジックテープ等、腕に着脱するのが容易で、確実に腕に装着できる構造なら差し支えない。【００１３】  マーカー（２）は磁力で装着部（３）に吸着しており、ゴルフスイング中に外ることはない。しかも、立上げ部（３ａ）を設けておりずれることもない。勿論、磁力を強くすれば立上げ部（３ａ）を設けなくてもよいが、立上げ部（３ａ）を設けておけば、何かの拍子に物が装着部（３）に当たった場合等でもマーカー（２）が外れるのを防止できる。【００１４】  マーカー取付具（１）を金属製にした場合、金属アレルギーを防止するために非金属板をマーカー取付具（１）の裏面全体や一部に取付ければ金属アレルギーを防止できる。また、装着部（３）に磁石（６）を取付け、マーカー（２）に磁石の付く金属を取付けてもよい。本実施例のバンド（４ａ）に磁石や磁粉を取付ければ、公知の磁気による血流改善による健康への効果が得られる。前述の非金属板に磁石や磁粉を練り込んだり、埋め込んでも同様の効果を得られる。【００１５】  本発明の他の実施例１のゴルフ器具（Ａａ）のマーカー取付具（１１）は、装着部（１３）と取付部（１４）を分離することで用途を広げることができる。
（イ）図６、図７に示すように、マーカー取付具（１１）は、マーカー（１２）を装着する装着部（１３）と腕に装着する取付部（１４）とからなる。装着部（１３）と取付部（１４）は個別に形成する。取付部（１４）は、弾性を有する左右のバンド（１４ａ）からなり、腕に装着できるようにバンド（１４ａ）の内寸を腕の大きさより小さくなるように長さを決める。ゴルフ器具（Ａａ）を腕に装着する場合はバンド（１４ａ）を拡げて腕に通せば、バンド（１４ａ）が弾性で縮み腕に密着することで腕に固定される。
（ロ）図６に示すように装着部（１３）は立上げ部（１３ａ）により凹部（１３ｂ）を形成し、マーカー（１２）が装着できる大きさに形成する。凹部（１３ｂ）の底面に、マーカー（１２）に取付けた磁石（１６）がひっつく金属板（１５）を取付ける。
（ハ）装着部（１３）には、左右のバンド（１４ａ）の両端側に設けた差込部（１４ｂ）を挿入する取付穴（１３ｄ）を、装着部（１３）の左右に設ける。取付穴（１３ｄ）は差込部（１４ｂ）と相似形で差込部（１４ｂ）に嵌合するように形成する。
（ニ）図７に示すように、取付部（１４）のバンド（１４ａ）の凸状の差込部（１４ｂ）をバンド（１４ａ）の両端側に設ける。差込部（１４ｂ）には中空部（１４ｃ）を設けてあり、挿入する時に縮み挿入後に拡張して装着部（１３）に左右のバンド（１４ａ）が固定される。差込部（１４ｂ）を縮めるには、例えば、棒状のものを中空部（１４ｃ）に挿入し、中空部（１４ｃ）の底面（１４ｄ）を押せば容易に縮む。以上の取付け構造を１か所または複数か所に設ける。取付穴（１３ｄ）と差込部（１４ｂ）は相似形にすれば特に制限はない。
（ホ）図６に示すように、マーカー取付具（１１）は装着部（１３）の左右の取付穴（１３ｄ）にバンド（１４ａ）の両端側の差込部（１４ｂ）を押入することで接合し形成され、装着部（１３）にマーカー（１２）を装着してゴルフ器具（Ａａ）として使用できる。
（ヘ）差込部（１４ｂ）は、中空部（１４ｃ）を縮めることで装着部（１３）とバンド（１４ａ）を容易に外すことができる。
（ト）装着部（１３）とバンド（１４ａ）の取付け手段は、装着部（１３）と取付部（１４）であるバンド（１４ａ）が脱着できる構造であれば、公知の取付け構造でも支障はない。例えば、装着部（１３）とバンド（１４ａ）の接合部にマジックテープを取付けてもよい。あるいはズボン等のベルトに使用されるような着脱容易な構造にしてもよい。【００１６】  本発明の他の実施例１は、装着部（１３）と取付部（１４）をセパレートにし、装着部（１３）を容易に脱着できる構造にしたことで、以下に説明するその他の実施例として活用でき、ゴルフ器具以外の用途に使用できる。また、バンド（１４ａ）を様々なデザインや構造のものが使用できるので、バンド（１４ａ）を付け替えることで装飾品としても使用できる。【００１７】  次に本発明の他の実施例２について図面に基づき説明する。
（イ）図８に示すように、ゴルフ器具（Ａｂ）のマーカー取付具（２１）は、装着部（２３）と取付部（２４）のバンド（２４ａ）とを一体に形成する。装着部（２３）には立上げ部（２３ａ）でマーカー（２２）を装着する凹部（２３ｂ）を形成する。凹部（２３ｂ）の底面に、マーカー（２２）に取付けた磁石（２６）がくっつくように金属板（２５）を取付ける。
（ロ）マーカー（２２）には、上面に光電池（２７）と発光ダイオード（２８）で形成された発光部（２２ａ）を設ける。
（ハ）マーカー（２２）を凹部（２３ｂ）に装着している時は、発光部（２２ａ）は発光せず、マーカー（２２）を凹部（２３ｂ）から外すと発光するようにすれば、パッティング時に発光するので使い易い。
（二）上のように、マーカー（２２）は発光ダイオード（２８）によりグリーン上で発光することでマーカー（２２）の位置がすぐわかる。また、点滅するようにすれば更に効果がある。【００１８】  以上のように、本発明の他の実施例２のゴルフ器具（Ａｂ）によれば、マーカー（２２）が光ることでマーカー（２２）の位置がすぐにわかり、スピーディーなプレーができる。また、特に夜間歩行時に腕に装着すれば、マーカー（２２）が光ることから交通安全面でも活用できる。この場合、単にマーカー（２２）やマーカー取付具（２１）の取付部（２４）に反射材を取付けてもよいが、それよりも本実施例の方がより効果がある。すなわち、光を広角あるいは遠くまで発せられる。また、レーザー光線等を利用することもできる。勿論、光ることをＯＮ、ＯＦＦするような切替スイッチを設ければ節電ができ長時間使用できる。【００１９】  ［００１７］の発光部（２２ａ）を分離し、マーカー（２２）に発光ダイオード（２８）を設け、装着部（２３）に光電池（２７）を設けても本実施例のゴルフ器具（Ａｂ）と同じように使用できる。この場合、マーカー（２２）を凹部（２３ｂ）から取外した時でも発光するように、マーカー（２２）に充電機能を設ければよい。また、取付部（２４）のバンド（１４ａ）を太陽光の受光部にすれば受光面積が広くなり、太陽電池の発電量を増加できる利点がある。【００２０】  本発明の他の実施例３について図面に基づき説明する。
（イ）図９、図１０に示すように、ゴルフ器具（Ａｃ）のマーカー取付具（３１）は、装着部（３３）と取付部（３４）を一体に形成する。装着部（３３）には立上げ部（３３ａ）により、マーカー（３２）を装着する凹部（３３ｂ）と隙間部（３３ｃ）を設ける。凹部（３３ｂ）の底面に、マーカー（３２）に取付けた磁石（３６）とくっつくように金属板（３５）を取付ける。
（ロ）マーカー（３２）の上面に距離センサー（３７）と表示部（３２ａ）を設ける。マーカー（３２）の底部には磁石（３６）を取付ける。距離センサー（３７）は光センサーや赤外線センサー等でピンまでの距離情報を発信できればどのようなセンサーでもよい。
（ハ）マーカー（３２）に受電部（３２ｂ）を設け、受電部（３２ｂ）に距離センサー（３７）と表示部（３２ａ）を接続する。
（ニ）装着部（３３）に電池収納部（３３ｄ）を内設しマイクロ電池（３８）を装入し蓋（３９）をする。装着部（３３）にはマイクロコンピュータ（４０）を内設し、マイクロ電池（３８）と接続する。
（ホ）マーカー（３２）の受電部（３２ｂ）は、マイクロ電池（３８）から受電する。装着部（３３）の凹部（３３ｂ）にマーカー（３２）が装着されている間に、マーカー（３２）の受電部（３２ｂ）はマイクロ電池（３８）から受電し充電される。
（ヘ）以上により、各機器は設定されたプログラムを実行する。
（ト）マーカー（３２）を凹部（３３ｂ）に装着した状態で、マーカー（３２）をピンに向けることで距離センサー（３７）が情報を発信し、マイクロコンピュータ（４０）がピンまでの距離を演算、分析し、マーカー（３２）の表示部（３２ａ）に距離を表示する。表示部（３２ａ）は、マーカー（３２）を凹部（３３ｂ）から取り外しても距離表示が消えないようにする。【００２１】  以上のように、本発明の他の実施例３によれば、ピンまでの距離が表示されるので便利である。また、種々のセンサーをマーカー（３２）に単設あるいは併設すれば、パターに有効でスコアメイクに効果がある。例えば、光センサーを内設しグリーン上の傾斜や芝の順目、逆目を判別表示すること等でスコアアップを図れる。また、［００１９］に示すように、取付部（３４）を太陽光の受光発電部としてもよい。尚、該種々のセンサーはマーカー（３２）に限定されず、用途によってはマーカー取付具（３１）に設けてもよい。【００２２】  表示部（３２ａ）は、マーカー（３２）に限定しなくてもよい。例えば、マーカー取付具（３１）の取付部（３４）に設ければ、表示画面を大きくすることで見やすくなる。装着部（３３）に設けるには、立上げ部（３３ａ）の側面や立上げ部（３３ａ）の上面幅を広くして設ければよい。【００２３】  本発明のゴルフ具は、他の実施例３を応用すれば、ゴルフ以外でもウオーキング時に目標物までの距離を測定表示できるのでウオーキングに便利である。また、風速や風向きを測定するセンサーを設置すれば、室外でのスポーツや行動時に便利である。高度センサーや気圧センサーを設置すれば、登山時に便利である。水深センサーや流速センサーや水温センサーを設置すれば、ダイビング時に便利である。更に、本発明のゴルフ器具にＧＰＳ発信器を取付ければ、特に近年大きな問題となっている認知症徘徊者等の発見に活用できる。また、［００１８］の実施例で示したように、マーカーが発光することで歩行時の安全面の効果があることを示したが、マーカー取付具全体を発光するようにすれば、更に安全面での効果が大きい。【００２４】  以上に示した各実施例において、マーカーは磁力によりマーカー取付具に装着されているが、更にマーカーの外れを防止する手段として、図１０に示す装着部（３３）のＰ部にネジを設け、装着部（３３）に図１１に示すような内にネジ（ｐ）を設けたキャップ（４１）をねじ止めする。キャップ（４１）は上面を透明にすれば各実施例の使用になんら支障がない。キャップ（４１）はワンタッチで蓋ができるような公知の構造のキャップでも差し支えない。キャップ（４１）はマーカー（３２）を取り外して使用する様な時は外しておけばよい。また、例えば、マーカー（３２）を装着部（３３）に装着後、装着部（３３）を回すことで凹部（３３ｂ）の内径が縮み、マーカー（３２）を押圧して固定する構造にすればキャップは不要である。【００２５】  以上のように、本発明のゴルフ器具は携帯ゴルフ器具として効果があるだけでなく、様々な分野、用途に活用でき社会に貢献することができる。また、装飾品として常時腕に装着して使用できる。
【図面の簡単な説明】
【００２６】
【図１】  本発明の実施例のマーカー取付具の平面図
【図２】  本発明の実施例のマーカー取付具の一部を断面とした側面図
【図３】  本発明の実施例の側面断面図
【図４】  本発明のマーカーの平面図
【図５】  本発明のマーカーの断面図
【図６】  本発明の他の実施例１のマーカー取付具の一部の拡大断面図
【図７】  図６のＸ部の形成前の拡大断面図
【図８】  本発明の他の実施例２の側面断面図
【図９】  本発明の他の実施例３のマーカーの側面断面図
【図１０】  本発明の他の実施例３のマーカー取付具の一部の拡大断面図
【図１１】  本発明のキャップの実施例の側断面図
【符号の説明】
【００２７】  Ａ、Ａａ、Ａｂ、Ａｃ                  ゴルフ器具
１、１１、２１、３１                  マーカー取付具
２、１２，２２，３２                  マーカー
３、１３、２３、３３                  装着部
４、１４，２４，３４                  取付部
５、１５、２５、３５                  金属板
６、１６、２６、３６                  磁石
３ａ、１３ａ、２３ａ、３３ａ          立上げ部
３ｂ、１３ｂ、２３ｂ、３３ｂ          凹部
３ｃ、３３ｃ                          隙間部
４ａ、１４ａ、２４ａ、３４ａ          バンド
１３ｄ                                取付穴
１４ｂ                                差込部
１４ｃ                                中空部
１４ｄ                                底面
２２ａ                                発光部
２７                                  光電池
２８                                  発光ダイオード
３２ａ                                表示部
３２ｂ                                受電部
３３ｄ                                電池収納部
３７                                  距離センサー
３８                                  マイクロ電池
３９                                  蓋
４０                                  マイクロコンピュータ
４１                                  キャップ
【図１】
2016067862.tif 000003
【図２】
2016067862.tif 000004
【図３】
2016067862.tif 000005
【図４】
2016067862.tif 000006
【図５】
2016067862.tif 000007
【図６】
2016067862.tif 000008
【図７】
2016067862.tif 000009
【図８】
2016067862.tif 000010
【図９】
2016067862.tif 000011
【図１０】
2016067862.tif 000012
【図１１】
2016067862.tif 000013